(57)【要約】【課題】ベルトコンベアの下部又は内部のように作業者が直接目視することのできない狭所を広範囲にわたり容易に観察することができる点検鏡を提供する。【解決手段】平板状の鏡面体３と、鏡面体３の遠隔操作を可能にするための主杆２と、主杆２の端部の近傍に設けられ，鏡面体３の鏡面３ｃが主杆２を仰ぎつつその軸方向に対して垂直をなすように鏡面体３を支持固定する支持具４と、鏡面体３において，主杆２から離れる側の端部に設けられ被点検対象を照らす光源１０と、主杆２の端部に設けられるピボット９と、光源９を発光させる発光手段とを有することを特徴とする点検鏡１ａによる。【選択図】図１
2010261973.tif 000002
【特許請求の範囲】
【請求項１】
平板状の鏡面体と、前記鏡面体の遠隔操作を可能にするための主杆と、前記主杆の端部の近傍に設けられ，前記鏡面体の鏡面が前記主杆を仰ぎつつその軸方向に対して垂直をなすように前記鏡面体を支持固定する支持具と、前記鏡面体において，前記主杆から離れる側の端部に設けられ被点検対象を照らす光源と、前記主杆の前記端部に設けられるピボットと、前記光源を発光させる発光手段とを有することを特徴とする点検鏡。
【請求項２】
前記支持具は、前記主杆上をその軸方向にスライド可能に設けられることを特徴とする請求項１記載の点検鏡。
【請求項３】
前記支持具は、前記主杆を把持又は挟持する第１の支持材と、前記第１の支持材と別体に形成され,前記鏡面体の鏡面が前記主杆を仰ぎつつその軸方向に対して垂直をなすよう前記鏡面体を支持固定する第２の支持材とを備え、
前記第２の支持材は、前記第１の支持材に枢設され，前記鏡面の前記主杆に対する仰角を可変に支持固定することを特徴とする請求項１又は請求項２に記載の点検鏡。
【請求項４】
前記主杆は、前記支持具が設けられない側の端部又はその近傍に、前記光源の点灯と消灯を切り替えるスイッチを備えることを特徴とする請求項１乃至請求項３のいずれか１項に記載の点検鏡。
【発明の詳細な説明】
【技術分野】
【０００１】
本発明は、直接目視することのできない狭所の内部を点検するための点検鏡に関する。
【背景技術】
【０００２】
従来、直接目視することができない狭所の内部、特に配管内部等を点検するための点検鏡が多く開発されてきた。配管の内部などを観察する場合、直接目視することは極めて難しいため、棒体の先端に鏡面体を取り付けた点検鏡が用いられており、この点検鏡を改良した発明や考案がいくつか開示されている。
特許文献１には「点検鏡」という名称で、光源を有する点検鏡に関する発明が開示されている。
【０００３】
特許文献１記載の発明は、伸縮可能な略棒状のシャフトと、このシャフトの先端に鏡面の向きが調整可能に取り付けられた鏡体と、前記シャフトに取り付けられたブラケットと、このブラケットに着脱可能に取り付けられた光源とを具備していることを特徴とするものである。
上記構成の特許文献１に記載の発明によれば、鏡面の向きを調整し光源を取り付けて点灯させた後、例えば排水管などの内部に挿入すると、光源の光が排水管内を照射するので、排水管内の点検を容易にでき、また、ブラケットに対して光源が着脱可能であるため、光源を使用しない際に、ブラケットから光源を取り外すことができるので便利であり、さらに、シャフトに対して鏡体の鏡面の向きが調整可能であるため、点検する排水管の状況などに合わせてシャフトに対して鏡体の鏡面の向きを適宜に調整できるので、排水管内の点検作業を容易にできる。
【０００４】
特許文献２には「下水設備用点検ミラー」という名称で、下水設備用点検ミラーに関する発明が開示されている。
特許文献２に記載の発明は、伸縮自在の柄の下端に、該柄に対し約４５°の傾きをもつ鏡部を枢支または固定した点検ミラーを、下水設備の点検筒に挿入して下水管の内部を目視点検する下水設備用点検ミラーにおいて、前記柄の下端を鏡部の下端以上に延長し、かつ、下水設備の底部に当接する支持棒を、鏡部と並設したことを特徴とするものである。
上記構成の特許文献２に記載の発明によれば、下水設備用点検ミラーの柄の下端に、鏡部と並設した支持棒を設けたので、前記従来の点検ミラーにおける不具合を解消することができると共に、安価で、かつ、軽量で、しかも、きわめて便利な点検ミラーとすることができる。殊に、合流型の点検筒の場合、支持棒をピボットとして鏡部の向きを回動させることができ、その取扱いがきわめて楽になる。
【０００５】
特許文献３には「下水管等の観測器」という名称で、下水管の観測に用いる器具に関する考案が開示されている。
特許文献３に記載の考案は、上方に伸びる操作棒を連結した本体と、この本体に装着してあってほぼ水平方向に照射するようにした電球と、前記本体に対して連結してあって前方からきた光を上方に反射する反射鏡とを包含することを特徴とするものである。
上記構成の特許文献３記載の考案によれば、きわめて簡単に操作して下水管の内面を観測でき、労力と時間を著しく節減できるという効果を有する。
また、特許文献３記載の考案によれば、建物の床下や、天井裏等の点検も容易に行うことができる。
【先行技術文献】
【特許文献】
【０００６】
【特許文献１】特開２００１−１００５６７号公報
【特許文献２】特開平９−１００５６７号公報
【特許文献３】実開昭５６−８３７１２
【発明の概要】
【発明が解決しようとする課題】
【０００７】
しかしながら、特許文献１に開示される発明おいては、点検時に作業者が常時シャフトを把持して支持する必要があり、長時間点検作業を続ける際に作業者の負担が大きいという課題があった。
また、特許文献１に開示される点検鏡においては、シャフトに光源が設けられているので、例えば、この点検鏡を用いてベルトコンベアの内側であるローラやベルト裏側部分を点検しようとした場合、被点検対象を明るく照らすことができないという課題もあった。
【０００８】
また、特許文献２記載の発明は、光源を備えていないため、点検作業を行う際には下水設備内に別途光源を挿入する必要があり煩雑であった。
さらに、特許文献２記載の発明においては、柄に対する鏡の取付角度が４５℃に固定されているため、ベルトコンベアの内部のような狭所に鏡を挿入するためには小さな鏡を用いる必要があった。この場合、一度の作業で点検できるエリアが狭くなってしまい、ベルトコンベアの点検作業の作業効率を向上し難いという課題があった。
【０００９】
特許文献３記載の考案においては、特許文献１記載の発明と同様に、操作棒に光源が取り付けられているので、下水管の奥側を明るく照らすことができると考えられるものの、例えば、ベルトコンベアの内側を点検する際に、ローラやベルトの裏側といった被点検対象を明るく照らし出すことができないという課題があった。
また、特許文献３記載の考案の場合も、特許文献２に記載の発明と同様に、操作棒に対して反射鏡が脚部に対して約４５°の角度に傾斜した状態で固定されているので、狭いベルトコンベアのローラとローラの隙間に反射鏡を挿入するためには反射鏡を小さくする必要があり、点検作業の作業効率を向上し難いという課題があった。
しかも、反射鏡の上面側に光源が取り付けられているので、脚部の長手方向から見た反射鏡と光源の外形寸法が大きくなり、狭いベルトコンベア内で特許文献３に係る考案をスムースに動かすることは難しいという課題があった。
このため、特許文献３に係る考案はベルトコンベアの狭い内部の点検作業には適さないという課題を有していた。
【００１０】
本発明はかかる従来の事情に対処してなされたものでありその目的は、狭所に大きな鏡面体を容易に出し入れすることができ、かつ、この狭所において鏡面体のブレを最少にしながら主杆の軸を基軸に鏡面体を回動運動させることで広い範囲の被点検対象を効率よく観察することができる点検鏡を提供することにある。
【課題を解決するための手段】
【００１１】
上記目的を達成するため請求項１記載の発明である点検鏡は、平板状の鏡面体と、鏡面体の遠隔操作を可能にするための主杆と、主杆の端部の近傍に設けられ鏡面体の鏡面が主杆を仰ぎつつその軸方向に対して垂直をなすように鏡面体を支持固定する支持具と、鏡面体において，主杆から離れる側の端部に設けられ被点検対象を照らす光源と、主杆の端部に設けられるピボットと、光源を発光させる発光手段とを有することを特徴とするものである。
上記構成の発明おいて、鏡面体は作業者が直接目視することができない、例えば、ベルトコンベアのローラとローラの間に形成される隙間からその内部の様子、特に上面側を映し出すという作用を有する。
また、主杆から離れる方向の鏡面体の端部に取り付けられる光源は、鏡面の真上側に配置される被検査対象を明るく照らすという作用を有する。
さらに、主杆は、支持具により支持固定される鏡面体の遠隔操作を可能にするという作用を有する。
そして、支持具は、光源を備えた鏡面体を主杆に支持固定するという作用を有する。このとき、鏡面体の鏡面が主杆を仰ぎつつ、かつ、主杆の軸方向に対して直角を成すよう取り付けられることで、主杆の長手方向から視た鏡面体の厚みを最小にするという作用を有する。
加えて、光源を主杆から離れる方向の鏡面体の端部に設けることで、主杆の長手方向から見た鏡面体および光源の外形寸法を最小にすることができるという効果を有する。
加えて、ピボットは主杆をその軸を中心に回動運動させる際に、その動きをスムースにするという作用を有すると共に鏡面体の仰角を調整する作用を有する。
また、発光手段は、光源を発光させるための電力を供給するという作用を有する。
【００１２】
請求項２記載の発明である点検鏡は、請求項１記載の点検鏡であって、支持具は、主杆上をその軸方向にスライド可能に設けられることを特徴とするものである。
上記構成の発明は、請求項１記載の発明と同じ作用に加えて、主杆上における鏡面体の取付位置を変更させるという作用を有する。
【００１３】
請求項３記載の発明である点検鏡は、請求項１又は請求項２に記載の点検鏡であって、支持具は、主杆を把持又は挟持する第１の支持材と、第１の支持材と別体に形成され,鏡面体の鏡面が主杆を仰ぎつつその軸方向に対して垂直をなすよう鏡面体を支持固定する第２の支持材とを備え、第２の支持材は、第１の支持材に枢設され，鏡面の主杆に対する仰角を可変に支持固定することを特徴とするものである。
上記構成の発明は、請求項１又は請求項２記載の発明と同じ作用に加え、鏡面の主杆に対する仰角を変えることで、より具体的には、主杆に対する鏡面体の仰角を９０°よりも大きく設定することで、主杆の設置面に対する支持角度を変えることなく、鏡面に映し出され被検査対象の領域を広くするという作用を有する。
さらに、主杆と鏡面体とを互いに対向するように配置させるという作用も有する。この場合、請求項３記載の点検鏡の外形寸法を小さくするという作用を有する。
【００１４】
請求項４記載の発明である点検鏡は、請求項１乃至請求項３のいずれか１項に記載の点検鏡であって、主杆は、支持具が設けられない側の端部又はその近傍に、光源の点灯と消灯を切り替えるスイッチを備えることを特徴とするものである。
上記構成の発明は、請求項１乃至請求項３記載のそれぞれの発明と同じ作用に加えて、光源を備えた鏡面体を被検査対象のある隙間に挿入した状態のまま、光源の点灯と消灯とを切替可能にするという作用を有する。
【発明の効果】
【００１５】
本発明の請求項１記載の発明によれば、鏡面体を、主杆を仰ぎつつ、主杆の軸方向に対して垂直に支持固定すると同時に、主杆から離れる側の鏡面体の端部に光源を設けることで、主杆の長手方向から視た場合の鏡面体及び光源の厚みを最小にすることができる。このため、狭所への鏡面体の挿入を容易にすることができるという効果を有する。
この結果、請求項１記載の点検鏡によれば、大きな鏡面体を使用することが可能になるので、大きな鏡面体を利用して、一度に広い範囲の被点検対象を容易に観察することができるという効果を有する。この結果、点検作業の作業効率を向上させることができる。
また、請求項１の発明においては、主杆の端部にピボットを設けることで、主杆を点で支えることができるという効果を有する。この結果、主杆をその中心軸を基軸にスムースに回動させることができるという効果を有する。従って、請求項１記載の点検鏡によれば、点検鏡の操作及び支持する際の作業者の負担を軽減することができる。さらに、主杆をその中心軸を基軸に回動させると、鏡面体がスムースに回動することで、鏡面に写し出される被点検対象の画像のブレがほとんど生じない。しかも、ピボットを用いて鏡面体の仰角を調整可能である。このため、作業者は、主杆を基軸にして、回動させることで周方向に、傾動させることで上下方向に、鏡面体が移動できる範囲をくまなく連続的に観察することができるという効果を有する。この結果、一定の範囲の被点検対象を観察する際に、請求項１記載の点検鏡を移動する回数を少なくすることができるという効果を有する。
しかも、主杆から離れる側の鏡面体の端部に光源を設けることで、作業者が点検作業を行う場合に、光源自体が鏡面に映り込むのを確実に防止することができるという効果を有する。また、この場合、鏡面の向かいにある被点検対象を明るく照らし出すことができるという効果も有する。
従って、請求項１記載の発明によれば、例えば、作業者の足元近くにベルトコンベアが設置される場合に、搬送用ベルトの裏側の点検作業の作業効率を大幅に向上することができると同時にその際の作業者の負担を軽減することができるという効果を有する。
【００１６】
本発明の請求項２記載の発明は、請求項１記載の発明と同じ効果に加えて、支持具を主杆の軸方向にスライド可能とすることで、設置面からの鏡面体の高さを変更することができるという効果を有する。
この場合、被点検箇所である狭所が複数あり、それぞれの設置面からの高さが異なる場合に、１種類の点検鏡で全ての狭所を点検することができるという効果を有する。
従って、請求項２記載の発明の汎用性を高めることができるという効果を有する。
【００１７】
本発明の請求項３記載の発明は、請求項１又は請求項２に記載の発明と同じ効果に加えて、鏡面体の鏡面の主杆に対する仰角を変更可能とすることで、例えばこの仰角を９０°よりも大きくした場合、主杆を傾けることなく、主杆から遠い位置にある被点検対象の映像を鏡面に写し出させることができるという効果を有する。この結果、請求項３記載の発明により点検できる領域を広くすることができるという効果を有する。
また、例えば主杆に対する鏡面体の仰角を９０°よりも小さくした場合、鏡面体を主杆側に折り畳むことができる。この結果、請求項３記載の発明を使用しない場合に、その外形寸法を小さくしてコンパクトな形態にすることができる。よって、主杆に大きな鏡面体を取り付けた場合であっても、コンパクトに収納することができるという効果を有する。
【００１８】
請求項４に記載の発明は、請求項１乃至請求項３記載のそれぞれの発明と同じ効果に加えて、光源の点灯と消灯を切替えるスイッチを主杆のピボットが設けられない側の端部に、すなわち、作業者の手元近傍の主杆に設けることで、光源の点灯と消灯の切替作業を簡便にすることができるという効果を有する。
また、点検作業を行うときだけ光源を点灯させることができるので、光源を発光するための電力を節約することもできる。
【図面の簡単な説明】
【００１９】
【図１】本発明の実施例１に係る点検鏡の外観を示す斜視図である。
【図２】（ａ）は本発明の実施例１に係る点検鏡の使用状態を示す側面図であり、（ｂ）,（ｃ）はいずれも実施例１に係る点検鏡の使用状態を示す平面図である。
【図３】本発明の実施例１に係る点検鏡の使用時の断面図である。
【図４】本発明の実施例２に係る点検鏡の外観を示す斜視図である。
【図５】本発明の実施例３に係る点検鏡の側面図である。
【発明を実施するための形態】
【００２０】
以下に、本発明の実施の形態に係る点検鏡ついて実施例を参照しながら詳細に説明する。
【実施例１】
【００２１】
実施例１に係る点検鏡とその使用方法について図１乃至図３を参照しながら詳細に説明する。
図１は本発明の実施例１に係る点検鏡の外観を示す斜視図である。
図１に示すように、実施例１に係る点検鏡１ａは、細長い棒状の主杆２に、支持具４が周設され、この支持具４から主杆２の軸方向に対して垂直（略垂直の概念も含む。）に伸びる腕４ａ，４ａの上端に設けられる一対の平板状の支持片４ｂ，４ｂ上に平板状の鏡面体３が載置されてボルト５により固定されるものである。
また、鏡面体３は、鏡面３ｃを有する鏡面体本体３ａとそれを保持する枠体３ｂからなり、上記ボルト５により、腕４ａに形成される支持片４ｂと鏡面体３の枠体３ｂとが固定されている。支持具４は、例えば図１あるいは後述する図３に示すように、金属製の平板材を支持片４ｂとなる部分を設けながら略帯状に切り抜き、この平板材を２つ折りにした際の折り返し部分を主杆２に周設して把持し、さらに、主杆２から離れる方向に伸びる一対平板材からなる腕４ａの上端に平板材を折り曲げて形成される支持片４ｂ，４ｂにより鏡面体３を支持固定するよう構成されている。
そして、一対の平板材からなる腕４ａはボルト６で固定されるとともに、このボルト６とは別に、調整ネジ８を設けて支持具４による主杆２の緊縛の程度を調整可能としておいてもよい。なお、ボルト５，６や調整ネジ８を取り付ける際には、ワッシャー７を介してもよい。
さらに、主杆２から離れる側の鏡面体３端部は、光源１０が設けられており、鏡面３ｃの向かい側にある被点検対象の表面を明るく照らすことができるよう構成されている。
そして、主杆２の下端には、先端に向うにつれて円錐状に細くなり、先端９ａが丸みをおびたピボット９が設けられている。
なお、光源１０は、光を発する発光体１１を保持する支持材１２，１２が設けられており、この支持材１２，１２は鏡面体３の枠体３ｂに連結板２４を介してネジ１３により固定されている。また、ネジ１３により支持材１２を固定する際にもボルト５ワッシャーを介してもよい。
【００２２】
なお、実施例１に係る点検鏡１ａにおいては、鏡面体３と別体に光源１０を設けた場合を例に挙げて説明しているが、光源１０は鏡面体３の枠体３ｂに埋設してもよい。この場合、発光体１１を支持する支持材１２や連結板２４の構成を省略することができる。
また、図１には示していないが、実施例１に係る点検鏡１ａは、主杆２の内部、又は、枠体３ｂの内部に、光源１０に電力を供給するための電池や配線を備えており、光源１０の近傍に設けられる図示しないスイッチにより、光源１０の点灯と消灯を切替えることができるよう構成されている。あるいは、実施例１に係る点検鏡１ａにおいては、図１に示すように、光源１０の点灯と消灯とを切替えるスイッチ１４を主杆２の上端に設けてもよい。すなわち、スイッチ１４を主杆２のピボット９が設けられない側の端部に設けてもよい。
【００２３】
このような実施例１に係る点検鏡１ａによれば、ピボット９の先端９ａを図示しない設置面上に接触させて主杆２を直立させ、主杆２をその軸方向を基軸に回動させることで、例えば、ベルトコンベアのローラとローラの間に形成される隙間のような狭所に、鏡面体３の一部を挿入することができる。
そしてこの場合、作業者は、鏡面体３の鏡面３ｃに映し出される像を観察することで、直接目視することのできないベルトコンベアの内部の特に上面側を点検することができるという効果を有する。
また、この時、光源１０の発光体１１を発光させた場合であっても、鏡面３ｃに発光体１１が映り込むことがないので、作業者は点検作業をスムースに行うことができる。
【００２４】
ここで、図２及び図３を参照しながら、実施例１に係る点検鏡１ａの使用方法について詳細に説明する。
図２（ａ）は本発明の実施例１に係る点検鏡の使用状態を示す側面図であり、（ｂ）,（ｃ）はいずれも実施例１に係る点検鏡の使用状態を示す平面図である。なお、図１に記載されたものと同一部分については同一符号を付し、その構成についての説明は省略する。
実施例１に係る点検鏡１ａは、例えば、図２に示すようなベルトコンベア１５のローラ１７とローラ１７の間に形成される隙間１８やベルトコンベア１５のベルト１６の下側に形成される隙間１８に、主杆２に支持具４を介して取り付けられる鏡面体３を挿入して、点検用足場１９に立つ作業者からは直接目視することのできないベルトコンベア１５のベルト１６の裏面側（内面側）や表面側（外面側）を観察するためのものである。
【００２５】
そして、ベルト１６の下側に形成される隙間１８に実施例１に係る点検鏡１ａの鏡面体３を挿入するには、作業者は、点検を必要としているベルトコンベア１５の近くの、図２（ｂ）中において足跡のマークで示す位置に立ち、載置面である点検用足場１９上にピボット９の先端９ａを接触させて主杆２を起立させた状態で保持してから、主杆２の軸を基軸に主杆２を回動させて、支持具４を介して支持固定される鏡面体３を図２（ｂ）中の符号Ａで示す方向に回動させてベルト１６の下側の隙間１８に挿入すればよい。
このように、ベルトコンベア１５の隙間１８の広がる方向と鏡面体３の平面方向を平行（略平行の概念も含む）に保っておくことで、簡単な動作で、狭い隙間１８に大きな鏡面体３をスムースに挿入することができるという効果を有する。
この場合、作業者は、鏡面体３をベルト１６の下側の隙間１８に挿入する際に、鏡面体３がベルトコンベア１５のローラ１７にぶつかりはしないだろうかと心配する必要がないので、隙間１８内に迅速に鏡面体３を挿入することができる。鏡面体３をベルト１６の下側の隙間１８に挿入することで、ベルト１６の表面側（外面側）を点検することができる。
図２においては、鏡面体３をベルト１６の下側の隙間１８に挿入した状態を示したが、ベルト１６の裏面側（内面側）を点検、観察する場合には、ベルトコンベア１５のローラ１７とローラ１７の間に形成される隙間１８に鏡面体３を挿入するとよい。
この結果、点検作業にかかる時間を短縮することができるという効果を有する。
【００２６】
なお、実施例１に係る点検鏡１ａを用いてベルトコンベア１５を点検する場合、作業者はベルト１６の裏側の様子を鏡面体３に映し出して観察することになる。このため、作業者が鏡面体３の鏡面３ｃを確実に目視することができるよう、点検作業時には、鏡面３ｃの３分の２程度をベルトコンベア１５の隙間１８に挿入し、残りの３分の１の鏡面３ｃは隙間１８から出しておく必要がある。
また、このとき、被点検対象である、例えば、ベルトコンベア１５のベルト１６の裏面やローラ１７の下面から、鏡面体３の鏡面体３ｃまでの距離を、ベルトコンベア１５の下側のローラ１７に接触しない程度において、可能な限り離しておくことで、実施例１に係る点検鏡１ａにより、より広い範囲の被点検対象を観察することができるという効果を有する。
【００２７】
さらに、図２（ｂ）中において破線で示す位置に鏡面体３を挿入した後、主杆２を基軸に鏡面体３を左右に回動させることで、鏡面体３が挿入された場所だけでなく、その周辺の被点検対象の様子についても観察することが可能になる。
この結果、点検作業の作業効率を向上することができるという効果を有する。
特にこの場合、主杆２の下端にピボットが設けられていることで、鏡面体３の移動をスムースにすることができるとともに、回動時に振動が発生するのを防止することができるので、鏡面体３ｃに映る像にブレが生じるのを防止することができる。
この結果、主杆２の中心軸を基軸に鏡面体３を回動させた場合であっても、鏡面３ｃに映し出される画像がブレないので、作業者が広い範囲の被点検対象の様子を観察する場合に、不具合箇所の見落としを防止することができるという効果を有する。
従って、点検作業の精度を向上することができるという効果も有する。
【００２８】
図３を参照しながら実施例１に係る点検鏡１ａにより、狭所の上側が広範囲にわたって観察できる仕組みについてさらに詳細に説明する。
図３は本発明の実施例１に係る点検鏡の使用時の断面図である。なお、図１乃至図３に記載されたものと同一部分については同一符号を付し、その構成についての説明は省略する。
図３に示すように光源１０を点灯させた状態で、ベルトコンベア１５のローラ１７，１７の隙間１８に鏡面体３を挿入すると、鏡面体３の鏡面３ｃはベルトコンベア１５のベルト１６の裏側に、ベルト１６の平面方向と平行（略平行の概念も含む。）な状態で配置される。
このとき、光源１０が鏡面体３の端部に近傍に設けられることで、光源１０から放射される光は、鏡面３ｃに直接向うことなく、被点検対象であるベルトコンベア１５の裏側に向う、すなわち、鏡面３ｃの向かい側に向って拡散する。
なお、実施例１に係る点検鏡１ａにおいては、明るく照らす必要のない隙間１８の下方側に光源１０の光が拡散してしまわないように、光源１０の発光体１１に図示しない反射体が設けられており、光源１０から発せられる光が被点検対象のある鏡面３ｃの向かい側に放射されるように構成されている。
【００２９】
そして、光源１０からベルトコンベア１５のベルト１６の裏側に放射された光は、被点検対象であるベルト１６の裏側やローラ１７と、鏡面体３の鏡面３ｃとの間で反射を繰り返しながら拡散していく。
そして、実施例１に係る点検鏡１ａの主杆２を把持して、主杆２を起立させた状態で保持しながらその傍らに立つ作業者は、鏡面体３の鏡面３ｃを上方から覗き込むことで鏡面３ｃの向かい側にあるベルトコンベア１５の上方の内側の様子を間接的に観察することができるのである。
また、鏡面体３と被点検対象との距離が近いほど、作業者が観察できる被点検対象の領域が狭くなってしまう。
このため、より広い領域の被点検対象を観察するためには、鏡面３ｃと、その上方に配置されるローラ１７やベルト１６の裏側までの距離を、鏡面体３がベルトコンベア１５の下側のローラ１７に接触しない限りにおいて、できるだけ遠ざけておくことが望ましい。
【００３０】
さらに、この状態から、実施例１に係る点検鏡１ａの主杆２をベルトコンベア１５に向って軽く傾動させることで、すなわち、ピボット９の先端９ａを基点にして図３中の符号Ｂで示す方向に主杆２を押し倒し、図中の破線で示す位置に鏡面体３を回移動させることで、作業者は、隙間１８の奥側の被点検対象の様子についても観察することができるようになる。
そして、点検鏡１ａの主杆２の傾斜を維持したまま、主杆２をピボット９の先端９ａを基点に左右方向に回動させることで、より広い領域の被点検対象を、実施例１に係る点検鏡１ａを移動させることなく観察することが可能になる。
この結果、所定の領域の被点検対象を点検する際に、実施例１に係る点検鏡１ａを頻繁に移動する必要がないので、点検作業の作業効率を高めることができる。
さらに、作業者は実施例１に係る点検鏡１ａを用いて、広い範囲を連続的に観察することができるので、不具合箇所を見落とすリスクが低減され、点検精度を高めることができるという効果も有する。
すなわち、実施例１に係る点検鏡１ａによれば、作業者が直接目視することができない狭所の内側の上面側、たとえば、ベルトコンベア１５の内側あるいは下側を、効率よく観察して点検することができるという効果を有する。
【００３１】
また、前述のとおり、支持具４は、主杆２に周設されており、一対の平板材からなる腕４ａはボルト６で固定されるとともに、調整ネジ８で支持具４による主杆２の緊縛の程度を調整可能としているので、点検鏡１ａにおけるピボット９の先端から鏡面３ｃまでの距離を容易に変更することができるという効果を有する。
つまり、ピボット９の先端９ａを設置面である点検用足場１９から被点検対象が存在する隙間１８までの距離が異なる場合に、支持具４をスライドさせて主杆２上の最適な位置に鏡面体３を配置することができるので、実施例１に係る点検鏡１ａの汎用性を高めることができるという効果を有する。
すなわち、実施例１に係る点検鏡１ａによれば、前述のとおり、先の図２（ａ）に示すベルトコンベア１５の、ベルト１６とベルト１６の間に形成される他の隙間１８に鏡面体３を挿入することも可能であり、ベルトコンベア１５の上方に配置されるベルト１６の裏面側についても点検することができるという効果を有する。
【００３２】
また、光源１０の点等と消灯とを切替えるスイッチ１４を主杆２の上端に設けた場合には、作業者は、実施例１に係る点検鏡１ａを用いた点検作業の最中に、自らの手元で光源１０の消灯と点灯を切替えることができるので、光源１０を発光させるための電力を節約することができる。加えて、実施例１に係る点検鏡１ａの操作性を向上することができるという効果も有する。
【実施例２】
【００３３】
本発明の実施例２に係る点検鏡について図４を参照しながら詳細に説明する。
実施例２に係る点検鏡１ｂは、実施例１に係る点検鏡１ａとほぼ同じ構成を有するものであるが、実施例１に係る点検鏡１ａとは支持具４の構成が異なっている。
図４は本発明の実施例２に係る点検鏡の外観を示す斜視図である。なお、図１乃至図３に記載されたものと同一部分については同一符号を付し、その構成についての説明は省略する。
図４に示すように、実施例２に係る点検鏡１ｂの支持具２０は、主杆２を把持する部分が複数のパーツ２０ａ〜２０ｃにより構成されるものである。
より具体的には、支持具２０において主杆２を把持する部分が、パーツ２０ａとパーツ２０ｂとの、及び、パーツ２０ａとパーツ２０ｃとの組合せにより形成され、それぞれがボルト６及びワッシャー７を用いて固定されている。
上記構成の実施例２に係る点検鏡１ｂは、実施例１に係る点検鏡１ａと同じ作用・効果に加え、支持具２０が複数のパーツ２０ａ〜２０ｃにより構成されることで、それぞれのパーツ２０ａ〜２０ｃの形状をシンプルにすることができる。
この結果、支持具２０の製造工程を簡素化することができるという効果を有する。
【実施例３】
【００３４】
本発明の実施例３に係る点検鏡について図５を参照しながら詳細に説明する。
実施例３に係る点検鏡は、上述の実施例１に係る点検鏡１ａと同じ構成に加えて、主杆２に対する鏡面体３の仰角を変更可能に構成されるものである。
図５は本発明の実施例３に係る点検鏡の側面図である。なお、図１乃至図３に記載されたものと同一部分については同一符号を付し、その構成についての説明は省略する。
図５に示すように、実施例３に係る点検鏡１ｃの支持具２２は、例えば、金属製の平板材が２つ折りにされ、その湾曲部分で主杆２を把持するよう構成される第１の支持材２２ａと、第１の支持材２２ａと別体に構成され，先に述べた実施例１に係る点検鏡１ａにおける支持具４の腕４ａと同じ作用を有する第２の支持材２２ｂがボルト２３により連結されるものである。
つまり、支持具２２は主杆２を挟持する第１の支持材２２ａに鏡面体３を支持固定するための第２の支持材２２ｂがボルト２３を枢軸として枢設されるものである。
なお、ボルト２３で第１の支持材２２ａと第２の支持材２２ｂとを固定する場合、ワッシャー７を用いてもよい。
【００３５】
このように、実施例３に係る点検鏡１ｃによれば、主杆２に対する鏡面体３の仰角を変更することができるという効果を有する。
そして、例えば、図５中に破線で示すように主杆２に対する鏡面体３の仰角を９０℃よりも大きく設定した場合、実施例１や実施例２に係る点検鏡１ａ，１ｂを用いる場合ように、作業者が主杆２を傾斜させなくともベルトコンベア１５の隙間１８の奥側を容易に観察することができるという効果を有する。この場合、設置面である点検用足場１９上に主杆２を垂直に（略垂直の概念も含む。）立てた状態で、ピボット９の先端９ａを基点に左右に回動させることができるので、ベルトコンベア１５の隙間１８内において鏡面体３が回動移動する際にローラ１７に接触して鏡面体３が破損したり、ベルトコンベア１５を損傷するリスクを低減することができるという効果を有する。
この結果、点検作業の作業性を一層向上することができるという効果を有する。
【００３６】
また、例えば、ボルト２３を基軸に鏡面３ｃと主杆２とが向かい合うように鏡面体３を回動させた場合、実施例３に係る点検鏡１ｃの外形寸法、すなわち、主杆２の直径方向における外形寸法を小さくすることができるという効果を有する。
この結果、実施例３に係る点検鏡１ｃを使用しない場合にその形態をコンパクトにして収納容易とすることができるという効果も有する。
【００３７】
なお、上記実施例１〜３に係る点検鏡１ａ〜１ｃにおいては、例えば、主杆２をアルミニウム等の軽金属やグラスファイバー製とすることで、点検鏡１ａ〜１ｃが軽量化されて、使用者の作業性を向上することができる。また、支持具４，２０，２２や支持片４ｂ，２１、あるいは支持材１２や第１の支持材２２ａ、第２の支持材２２ｂ、パーツ２０ａ〜２０ｃについてもアルミニウム等の軽金属を採用することで軽量化が可能である。
さらに、例えば、実施例１〜３に係る点検鏡１ａ〜１ｃにおいては、光源１０を発光させる電源となる電池を収納する電池ケースを主杆２の内部に収容することで、光源１０を備えた鏡面体３の先端部分を軽量化することができる。
加えて、鏡面体３における鏡面体本体３ａをアルミニウム製とすることで、鏡面体本体３ａの割れを防止して安全性を向上するとともに、鏡面体３自体を軽量化することができる。
【００３８】
また、鏡面体本体３ａの表面に、例えば、着脱可能に保護フィルムを備えることで、鏡面体本体３ａの傷や汚れを防止することができる。さらに、鏡面体本体３ａの裏面に、例えば、合成樹脂製（例えば、塩化ビニール）のカバーを取り付けておくことで、鏡面体本体３ａの保護効果が高まり、点検鏡１ａ〜１ｃに対するメンテナンスの手間を軽減することができるという効果を有する。
さらに、実施例１〜３に係る点検鏡１ａ〜１ｃにおいて、ピボット９をゴム等の弾性体で構成することで、ピボット９の先端９ａの滑り止め効果並びに、衝撃吸収効果を発揮させることができ、点検鏡１ａ〜１ｃの操作性及び、これらを用いた場合の作業性を向上することができる。
【産業上の利用可能性】
【００３９】
以上説明したように、本発明は、例えば、ベルトコンベアの内部のように作業者が直接目視することのできない狭所を広範囲にわたり容易に観察することができる点検鏡であり、工場設備やプラントの点検器具に関する分野において利用可能である。
【符号の説明】
【００４０】
１ａ〜１ｃ…点検鏡  ２…主杆  ３…鏡面体  ３ａ…鏡面体本体  ３ｂ…枠体  ３ｃ…鏡面  ４…支持具  ４ａ…腕  ４ｂ…支持片  ５…ボルト  ６…ボルト  ７…ワッシャー  ８…調整ネジ  ９…ピボット  ９ａ…先端  １０…光源  １１…発光体  １２…支持材  １３…ネジ  １４…スイッチ  １５…ベルトコンベアー  １６…ベルト  １７…ローラ  １８…隙間  １９…点検用足場  ２０…支持具  ２０ａ〜２０ｃ…パーツ  ２１…支持片  ２２…支持具  ２２ａ…第１の支持材  ２２ｂ…第２の支持材  ２３…ボルト  ２４…連結板 
【図１】
2010261973.tif 000003
【図２】
2010261973.tif 000004
【図３】
2010261973.tif 000005
【図４】
2010261973.tif 000006
【図５】
2010261973.tif 000007